(57)【特許請求の範囲】
【請求項１】
デリケートゾーンの毛量を減少させるすきカミソリであって、
所定の長手方向に延在状に形成されるとともに、使用者の把持に供される把持部と、
前記長手方向と交差する幅方向に延在状に形成されるとともに、刃体および前記刃体に隣接して形成された櫛部を有するヘッド部と、
前記把持部と前記ヘッド部を連結する連結部と、を備え、
前記櫛部は、前記ヘッド部と一体形成された第１櫛部構成体と、前記第１櫛部構成体に対向して設けられた第２櫛部構成体とを有し、前記刃体は、前記第１櫛部構成体及び前記第２櫛部構成体の間に挟持され、
前記櫛部は、複数の櫛歯を有するとともに、前記刃体の刃先が露出した刃先露出部分と、前記刃体の刃先が露出しないよう覆われたカバー部分とを有し、前記カバー部分の前記幅方向における両端及び該両端の間に前記櫛歯が設けられ、所定の並びで配置された前記刃先露出部分と前記カバー部分との組が繰り返されるよう配置されており、
前記櫛部の前記幅方向において最外部に位置する前記櫛歯の前記幅方向の中央部の間の長さに対する、複数の前記刃先露出部分にそれぞれ隣接する前記櫛歯の前記幅方向の中央部の間の長さの合計の割合が１／１０以上４／１０以下であり、
前記第２櫛部構成体は、複数の前記櫛歯間の隙間の延長線上にそれぞれ形成された複数の溝部を有し、
前記櫛部の前記幅方向の長さは１０ｍｍ以上であり、
複数の前記櫛歯は２ｍｍ以下の間隔で設けられている、
デリケートゾーン用すきカミソリ。
【請求項２】
複数の前記櫛歯は前記第１櫛部構成体に形成されており、
前記第２櫛部構成体は、前記刃先露出部分に対応する位置に凹部を有し、前記カバー部分に対応する位置に刃先カバーを有する、
請求項１に記載のデリケートゾーン用すきカミソリ。
【請求項３】
前記第２櫛部構成体の前記溝部は、
前記凹部から連続した位置に形成された第１溝部と、
前記刃先カバーにおける前記櫛歯の隙間の位置の延長線上に、前記櫛歯の隙間から離間した位置から形成された第２溝部とを含む、
請求項２に記載のデリケートゾーン用すきカミソリ。
【請求項４】
前記幅方向から見た、前記刃先カバーが形成された位置での断面視において、前記第１櫛部構成体は、前記刃先カバーに対向する位置に、前記第２櫛部構成体の外面の延長面に沿った外面を持つ突起を有する、
請求項２に記載のデリケートゾーン用すきカミソリ。
【請求項５】
前記櫛部の前記幅方向において最外部に位置する前記櫛歯の前記幅方向の中央部の間の長さに対する、複数の前記刃先露出部分にそれぞれ隣接する前記櫛歯の前記幅方向の中央部の間の長さの合計の割合が１／３である、
請求項１から４のいずれか１項に記載のデリケートゾーン用すきカミソリ。
【発明の詳細な説明】
【技術分野】
【０００１】
本発明の一態様は、デリケートゾーン用すきカミソリに関する。
【背景技術】
【０００２】
カミソリの構成として、各種の使用態様を想定したものが知られている。例えば、特許文献１及び２には、ビキニ・ラインを含むＶＩＯラインの処理等、いわゆるデリケートゾーンでの体毛カット処理を想定したカミソリが開示されている。特許文献１には、剃り落されたアンダーヘアを効率的に排出することで剃毛作業に支障をきたさないように工夫した技術が開示されている。特許文献２には、使用者によるカミソリの把持性及び操作性を高めたカミソリが開示されている。
【先行技術文献】
【特許文献】
【０００３】
【特許文献１】公開実用新案公報昭６１−７１０７２号公報
【特許文献２】特許第６６２１５６３号公報
【発明の概要】
【発明が解決しようとする課題】
【０００４】
発明者らの調査によれば、デリケートゾーンの体毛を処理するにあたり、体毛をすべて除去することに恥ずかしさを感じる人も多く、部分的に除去して毛量を減少させたいというニーズがあることが判った。さらには、体毛を部分的に除去する場合、除去した部分と除去していない部分との境界がハッキリ出ないようにしたいというニーズもあることが判った。この点、従来のカミソリでは、体毛を除去し過ぎてしまったり、除去した部分と除去していない部分と境界がハッキリしてしまったりしていた。
【０００５】
また、体毛を除去するためにカミソリのヘッドを肌に当てた際、櫛歯の間に皮膚が入り込んで皮膚が刃先に触れやすくなり、使用者が不快に感じたり、場合によっては皮膚を傷つけてしまったりすることがあった。
【０００６】
このような使用者のニーズに対して、従来のカミソリでは十分な機能を提供できていない部分があった。そこで、上記のような使用者のニーズに合ったカミソリが求められている。
【課題を解決するための手段】
【０００７】
本発明は、上記課題を解決するため、次のような手段を提供する。なお、以下の説明において、発明の理解を容易にするために図面中の符号等を括弧書きで付記する場合があるが、本発明の各構成要素はこれらの具体的な構成に限定されるものではなく、当業者が技術的に理解しうる範囲にまで広く解釈されるべきものである。なお、本発明の一態様のカミソリは、体毛をすいて減少させる機能を主たる特徴としているため、本明細書では「すきカミソリ」と呼ぶことがある。
【０００８】
本発明の一態様のデリケートゾーン用すきカミソリは、デリケートゾーンの毛量を減少させるすきカミソリ（１）であって、
所定の長手方向に延在状に形成されるとともに、使用者の把持に供される把持部（５）と、
前記長手方向と交差する幅方向に延在状に形成されるとともに、刃体（３７）および前記刃体に隣接して形成された櫛部（３５）を有するヘッド部（３）と、
前記把持部と前記ヘッド部を連結する連結部（４）と、を備え、
前記櫛部は、前記ヘッド部と一体形成された第１櫛部構成体（３２）と、前記第１櫛部構成体に対向して設けられた第２櫛部構成体（３４）とを有し、前記刃体は、前記第１櫛部構成体及び前記第２櫛部構成体の間に挟持され、
前記櫛部は、複数の櫛歯を有するとともに、前記刃体の刃先が露出した刃先露出部分（３５ａ）と、前記刃体の刃先が露出しないよう覆われたカバー部分（３５ｂ）とを有し、前記カバー部分の前記幅方向における両端及び該両端の間に前記櫛歯が設けられ、所定の並びで配置された前記刃先露出部分と前記カバー部分との組が繰り返されるよう配置されており、
前記櫛部の前記幅方向において最外部に位置する前記櫛歯の前記幅方向の中央部の間の長さに対する、複数の前記刃先露出部分にそれぞれ隣接する前記櫛歯の前記幅方向の中央部の間の長さの合計の割合が１／１０以上４／１０以下であり、
前記第２櫛部構成体は、複数の前記櫛歯間の隙間の延長線上にそれぞれ形成された複数の溝部（３４ｃ、３４ｄ）を有し、
前記櫛部の前記幅方向の長さは１０ｍｍ以上であり、
複数の前記櫛歯は２ｍｍ以下の間隔で設けられている、
デリケートゾーン用すきカミソリである。
【０００９】
上記構成のすきカミソリは、櫛部の幅方向の長さに対して、刃先が露出する刃先露出部分の割合を１／１０以上４／１０以下としているため、カット対象の体毛を直ちにすべて除去せずに少しずつ様子を見ながらカットすることができ、カットし過ぎることを抑制しつつ、使用者が望む量だけ除去しやすい構成となる。
【００１０】
また、複数の櫛歯が２ｍｍ以下の間隔で配置されることで、刃先露出部分の幅が比較的小さくなり、体毛を一度にカットする幅が比較的狭くなる。上記のような、体毛を除去した部分と除去していない部分との境界をハッキリさせず自然な状態にしたいというニーズに対して、このように櫛歯の間隔を２ｍｍ以下にすることで、体毛をカットした部分とカットしていない部分との境界を効果的にぼかすことが可能な構成にすることができた。
【００１１】
さらに、櫛歯の間隔を２ｍｍ以下にすることで、櫛歯間に皮膚が入り込みづらくなる。これにより、使用者の皮膚が刃先に触れることを抑制でき、使用者に不快感を与えることを抑制したり、使用者の皮膚が傷つくことを防止したりすることができる。
【００１２】
また、複数の櫛歯を有する構成としたうえで、カバー部分ではその両端だけでなく、両端の間にも櫛歯が設けられた構成としているため、カバー部分の両端にだけ櫛歯を設けた構成と比較して、カット対象の体毛をカットしつつ、効果的に櫛当て処理を行うことができる。そのため、次のストロークでカット対象の体毛を除去しやすくなる。また、櫛歯の間隔が２ｍｍ以下の幅となっているため、細かい間隔で体毛を梳き、毛並みを効果的に整えることができる。
【００１３】
また、複数の溝部を設けることで、ヘッド部と肌及び体毛との接触面積が小さくなって摩擦が減少するため、ヘッドをスムーズに動かすことができ、カット対象の体毛により効果的に櫛当て処理を行いながら、体毛を除去することができる。上記のすきカミソリは、体毛の生える向きが一定でないデリケートゾーンに対して主に使用するものであるところ、このように櫛当て処理の性能に優れた構成とすることで、カット対象のデリケートゾーンの体毛をカットしやすくなっている。
【００１４】
上記デリケートゾーン用すきカミソリにおいて、好ましくは、
複数の前記櫛歯は前記第１櫛部構成体に形成されており、
前記第２櫛部構成体は、前記刃先露出部分に対応する位置に凹部を有し、前記カバー部分に対応する位置に刃先カバーを有する構成とする。
【００１５】
上記構成のすきカミソリによれば、第１櫛部構成体と第２櫛部構成体との組み合わせによって、櫛歯の配置及びピッチ、ならびに櫛歯露出部分とカバー部分との割合を変化可能な構成にすることなどが可能となる。
【００１６】
上記デリケートゾーン用すきカミソリにおいて、好ましくは、
前記第２櫛部構成体の前記溝部が、
前記凹部から連続した位置に形成された第１溝部と、
前記刃先カバーにおける前記櫛歯の隙間の位置の延長線上に、前記櫛歯の隙間から離間した位置から形成された第２溝部とを含む構成とする。
【００１７】
上記構成のすきカミソリによれば、櫛部の櫛歯が配置された領域に広い範囲で溝部を形成する構成となり、さらに効果的に櫛当て処理を行うことが可能となる。これにより、より快適に体毛をカットしやすくなる。
【００１８】
上記デリケートゾーン用すきカミソリにおいて、好ましくは、
前記幅方向から見た、前記刃先カバーが形成された位置での断面視において、前記第１櫛部構成体は、前記刃先カバーに対向する位置に、前記第２櫛部構成体の外面の延長面に沿った外面を持つ突起を有する構成とする。
【００１９】
上記構成のすきカミソリによれば、刃先が直接使用者の肌に触れないため、肌に優しい構成にすることができる。特に、上記すきカミソリは主にデリケートゾーンに対して使用されるため、このように肌に優しい構成が特に有用である。
【００２０】
上記デリケートゾーン用すきカミソリにおいて、好ましくは、
前記櫛部の前記幅方向において最外部に位置する前記櫛歯の前記幅方向の中央部の間の長さに対する、複数の前記刃先露出部分にそれぞれ隣接する前記櫛歯の前記幅方向の中央部の間の長さの合計の割合が１／３である。
【００２１】
発明者らによる研究によれば、刃先露出部分を上記の割合とすることで、使用者が望む量の体毛をカットするのに特に適した構成とすることが判った。すなわち、上記構成のすきカミソリによれば、使用者が望む量の体毛をカットすることができる。
【図面の簡単な説明】
【００２２】
【図１】図１は、実施形態のカミソリの斜視図である。
【図２】図２は、実施形態のカミソリの分解斜視図である。
【図３】図３は、実施形態のカミソリの正面図である。
【図４】図４は、実施形態のカミソリの平面図である。
【図５】図５は、実施形態のカミソリの底面図である。
【図６】図６は、実施形態のカミソリの左側面図である。
【図７】図７は、実施形態のカミソリの右側面図である。
【図８】図８は、実施形態のカミソリにおける櫛部の拡大図である。
【図９】図９は、実施形態のカミソリにおいて、第２構成体を取り除いた状態の左側面図である。
【図１０】図１０は、実施形態のカミソリの第２構成体の拡大図である。
【図１１】図１１は、図４のＸ−Ｘの位置における断面図である。
【発明を実施するための形態】
【００２３】
本発明の一形態のデリケートゾーン用すきカミソリは、いわゆるＶＩＯゾーンといった陰部などのデリケートゾーンの体毛をカットするカミソリとして好適に用いられる。また、対象箇所の体毛をすべて除去するのではなく、体毛をすいて、対象箇所の体毛の量を使用者が望む量まで減少させる機能に特に優れた構成としている。
【００２４】
以下、本発明の一形態のカミソリについて、図面を参照しながら具体的に説明する。ただし、以下で説明する実施形態及び実施例はあくまで本発明の一例にすぎず、本発明の技術的範囲を限定的に解釈させるものではない。なお、各図面において、同一の構成要素には同一の符号を付している。
【００２５】
［カミソリ１の基本構成および材質］
本実施形態に係るカミソリ１は、図１〜図７に示されるように、ヘッド部３、連結部４、及び把持部５を含むカミソリホルダ２と、カミソリホルダ２に保持された刃体３７とを主な要素として構成される。
【００２６】
本実施形態におけるヘッド部３、連結部４、及び把持部５は、樹脂による一体成形体として構成されている。樹脂材としては、ＰＰ（ポリプロピレン）の他、ＡＢＳ、エラストマー、ＰＣ（ポリカーボネート）、ＰＥＴ（ポリエチレンテレフタレート）、またはＰＶＣ（塩化ビニル樹脂）等が好適に用いられる。なお、近年の脱プラスチック化の流れに鑑み、上記のような樹脂材に代えて、例えば紙材や段ボール材等によって一体成形体を構築してもよい。一方、刃体３７は金属製ブレードとして構成されている。本実施形態では、刃体３７にはステンレス鋼材が用いられている。
【００２７】
［カミソリ１における方向の定義］
本実施形態においては、ヘッド部３、連結部４、及び把持部５を結ぶ長手方向、すなわちカミソリ１の長尺方向をＬＤと定義する。長手方向ＬＤを前後方向ということもある。当該長手方向ＬＤと交差する短手方向、すなわちカミソリ１の幅方向をＷＤと定義する。短手方向ＷＤを左右方向ということもある。長手方向ＬＤにおいて、カミソリ１の前方、すなわち連結部４からヘッド部３へと向かう方向を、「長手方向前方側ＬＤＦ」と定義する。一方、長手方向ＬＤにおいて、カミソリ１の後方、すなわち連結部４から把持部５へと向かう方向を「長手方向後方側ＬＤＲ」と定義する。
【００２８】
また、短手方向ＷＤにおける左右方向を、それぞれ「短手方向右側ＷＤＲ」、及び「短手方向左側ＷＤＬ」と定義する。さらに、長手方向ＬＤおよび短手方向ＷＤと交差する方向を「上下方向ＶＤ」と定義する。上下方向ＶＤをカミソリ１の高さ方向ということもある。後述する把持部５の、天面部５０に臨む側を「上面側ＴＳ」、上下方向において上面側ＴＳとは逆側を「下面側ＢＳ」と定義する。
【００２９】
［ヘッド部３の構成］
ヘッド部３は、図２の分解斜視図に示されるように、第１構成体３１と第２構成体３３とで構成される。第１構成体３１は、連結部４及び把持部５と一体成形される。第２構成体３３は、第１構成体３１とは別体として成形される。第２構成体３３は、刃体３７を間に介在させた状態で、第１構成体３１の長手方向前方側ＬＤＦに接合される。第２構成体３３は、第１構成体３１と同一の材料及び色で形成されており、これによりヘッド部３の外観一体性が確保される。
【００３０】
また、図２に示されるように、第１構成体３１及び第２構成体３３は、それぞれ第１櫛部構成体３２及び第２櫛部構成体３４を有する。第１櫛部構成体３２と第２櫛部構成体３４とは、刃体３７を挟むようにして接合されることで櫛部３５を構成する。第２構成体３３は２つの連結突部３３ａを有する。これらの２つの連結突部３３ａは、第２構成体３３の第１構成体３１に対向する面から第１構成体３１に設けられた２つの貫通孔３１ａに向かって突出するよう設けられる。組み立てられた状態において、第２構成体３３は、刃体３７に設けられた短手方向ＷＤに延びる取付孔３９、及び第１構成体３１の貫通孔３１ａに挿通される。刃体３７は、下面側ＢＳに刃先３８が向くように配置される。
【００３１】
櫛部３５は、カミソリ１の使用に際し、カット対象の体毛を除去する機能と、カット対象となる体毛を整列させる櫛当て処理を行う機能とを有する。
【００３２】
図６に示されるように、櫛部３５において、第１櫛部構成体３２は、両端に設けられた櫛歯３２ａと、これらの櫛歯３２ａの間に等間隔に配置された１７本の櫛歯３２ｂを有する。すなわち、櫛部３５には１８か所の櫛歯３２ａ及び３２ｂの隙間が形成される。なお、符号が混雑することを避けるため、図中には櫛歯３２ｂの一部にのみ符号を付している。その他の符号についても同様に、混雑を避けるために同種の構成要素の一部にのみ符号を付す場合がある。本明細書では、櫛歯３２ｂの短手方向ＷＤにおける中央部と、隣接する櫛歯３２ｂの短手方向ＷＤにおける中央部との間を「配列ピッチ」という。図８の拡大図によれば、Ａの長さが配列ピッチに該当する。
【００３３】
櫛歯３２ｂの短手方向ＷＤの長さ、すなわち幅は、櫛歯３２ａ及び３２ｂの隙間の短手方向ＷＤの長さ、すなわち幅とほぼ同じである。図６及び図８に示されるように、櫛部３５は、刃体３７の刃先３８が露出した刃先露出部分３５ａと、刃先３８が露出しないよう覆われたカバー部分３５ｂとを有する。刃先露出部分３５ａの短手方向ＷＤの両端には、櫛歯３２ｂが配置される。カバー部分３５ｂの短手方向ＷＤにおける両端には櫛歯３２ａまたは３２ｂが設けられ、さらにこの間にも櫛歯３２ｂが設けられる。カミソリ１では、刃先露出部分３５ａとカバー部分３５ｂとは、所定の並びで配置された組が複数配置される構成としている。この構成により、刃先露出部分３５ａを均等の間隔で配置しやすくなり、体毛を均一的に除去しやすくすることができる。
【００３４】
本実施形態では、図６及び図８に示されるように、刃先露出部分３５ａの間にカバー部分３５ｂが設けられる。カバー部分３５ｂでは、両端の櫛歯３２ｂの幅方向の中央に櫛歯３２ｂが設けられる。すなわち、ひとつのカバー部分３５ｂに、櫛歯３２ｂによって２か所の隙間が形成される。言い換えると、櫛部３５には、刃先３８が露出した刃先露出櫛歯間３２ｃと刃先カバー櫛歯間３２ｄが設けられ、刃先露出櫛歯間３２ｃの間には、２つの刃先カバー櫛歯間３２ｄが隣接して配置される。櫛部３５では、このような並びで配置された刃先露出部分３５ａとカバー部分３５ｂとの組が繰り返されるよう配置される。
【００３５】
図８に示されるように、刃先露出部分３５ａでは、第２櫛部構成体３４に、櫛歯の隙間と同じ幅を有する凹部３４ａが設けられ、凹部３４ａの位置に刃先３８が露出する。カバー部分３５ｂでは、第２櫛部構成体３４に刃先カバー３４ｂが設けられ、刃先カバー３４ｂによって刃先３８が覆われる。
【００３６】
第２櫛部構成体３４は、図６、図８、及び図１０に示されるように、櫛歯３２ａ及び３２ｂの隙間の延長線上にそれぞれ形成された、上下方向ＶＤに延びる第１溝部３４ｃ及び第２溝部３４ｄを有する。第１溝部３４ｃは、上下方向ＶＤにおける凹部３４ａの延長線上に、凹部３４ａから連続するよう形成される。第２溝部３４ｄは、カバー部分３５ｂにおける櫛歯３２ａ及び３２ｂの隙間の延長線上に、櫛歯３２ａ及び３２ｂの隙間から離間した位置を始点として形成される。第１溝部３４ｃ及び第２溝部３４ｄは、第２櫛部構成体３４における上面側ＴＳの端部近傍まで延びるよう形成される。第１溝部３４ｃ及び第２溝部３４ｄは、幅方向に同じ幅を有するよう形成される。なお、本明細書では、第１溝部３４ｃと第２溝部３４ｄとを総称して「溝部」ということがある。
【００３７】
このように、櫛部３５は、複数の櫛歯３２ａ及び３２ｂによって、カット対象となる体毛を整列させる櫛当て処理を行う機能を有する。さらに櫛部３５は、カバー部分３５ｂと交互に配置された刃先露出部分３５ａによって、カット対象となる体毛を除去する機能を有する。そのため、櫛部３５によって、体毛同士が絡み合ってカット処理の妨げとなることを抑制することができる。すなわち、処理対象となる体毛が、刃体３７に隣接して形成された櫛部３５によって整列させられた上で、刃体３７に送られてカット処理される。デリケートゾーンでは体毛の生える向きが一定ではないため、このような構成が特に有用である。
【００３８】
本実施形態のカミソリ１では、櫛部３５の短手方向ＷＤにおいて、両端の櫛歯３２ａの中央部の間の長さに対する、刃先露出部分３５ａに隣接する櫛歯３２ｂの幅方向の中央部の間の長さＡ（図８参照）の合計の割合が、略１／３になる構成を採用している。また、両端の櫛歯３２ａの中央部の間の長さに対する、カバー部分３５ｂの両端に位置する櫛歯３２ｂの幅方向の中央部の間の長さＢ（図８参照）の合計の割合が、略２／３になる構成を採用している。言い換えると、１８か所の櫛歯３２ａ及び３２ｂの隙間のうちの１／３が刃先露出櫛歯間３２ｃとなり、残りの２／３が刃先カバー櫛歯間３２ｄとなる。
【００３９】
発明者らの研究によれば、両端の櫛歯３２ａの中央部の間の長さに対する、刃先露出部分３５ａに隣接する櫛歯３２ｂの幅方向の中央部の間の長さの合計の割合を１／１０以上４／１０以下、すなわち１０％以上４０％以下にして、敢えて刃の露出を少なくすることで、体毛を少しずつ様子を見ながらカットして毛量を減少させていくことができ、使用者が望む量の体毛をカットするのに適した構成となることが判った。中でも、上記割合を１／３にすることで、使用者が望む量の体毛をカットするのに特に適した構成となることが判った。そのため、カミソリ１では上記のような構成を採用している。
【００４０】
本実施形態のカミソリ１において、櫛部３５における櫛歯３２ａ及び３２ｂの配列ピッチは、好ましくは０．５ｍｍ以上２．０ｍｍ以下であり、例えば略１．０ｍｍである。櫛歯３２ａ及び３２ｂの隙間の幅は、好ましくは上記の配列ピッチの半分であり、例えば略０．５ｍｍである。櫛歯３２ｂの幅は、好ましくは上記の配列ピッチの半分であり、例えば略０．５ｍｍである。カミソリ１において、櫛部３５の幅方向の長さは、好ましくは１０ｍｍ以上３５ｍｍ以下である。
【００４１】
図１１は、図４のＸ−Ｘの位置での断面図である。当該位置には、第２櫛部構成体３４の刃先カバー３４ｂが形成されている。第１櫛部構成体３２は、刃先カバー３４ｂに対向する位置に設けられた突起３２ｘを有する。突起３２ｘは、第２櫛部構成体３４の外面３４ｘの延長面に沿った外面３２ｙを有するよう、第１櫛部構成体３２から突出して形成されている。カミソリ１の使用時には、使用者の肌６１にこれらの外面３４ｘ及び３２ｙが接しつつ、当該位置から略０．３ｍｍ離れた位置に位置する刃先３８に体毛６２が当接することで、体毛６２が切断される。そのため、使用時にも刃先３８が使用者の肌６１に直接触れることがなく、肌６１の負担を軽減させることができる。また、使用時に体毛を起立したままの状態で切断するのではなく、体毛が倒れるよう傾けた状態で切断するため、毛先を削ぐような切断方法となる。そのため、除去した後の体毛の毛先を滑らかな状態にすることができ、当該部分が体の他の部分に触れた場合でも痛く感じることを抑制することができる。
【００４２】
［連結部４の構成］
図１及び図２等に示されるように、連結部４は、第１連結要素４１、第２連結要素４２を有する。また、第１連結要素４１と第２連結要素４２との間には、上面ＴＳおよび下面ＢＳの双方に臨む貫通開口部４３が形成されている。貫通開口部４３は、上面ＴＳ側から、当該貫通開口部４３を通じて櫛部３５及び刃体３７を直接視認することを可能とするべく、短手方向ＷＤにおいて、ヘッド部３の略６０％相当の開口幅寸法ОＷを有する構成とされている。
【００４３】
［把持部５の構成］
図１〜図３に示されるように、把持部５は、長手方向ＬＤへと延在状に形成されるとともに、天面部５０、第１側壁部５１、第２側壁部５２、前面部５３、および後面部５４を主体として構成される。第１側壁部５１および第２側壁部５２は、短手方向ＷＤにおいて、天面部５０の両端部から、当該天面部５０の面方向と交差する方向、すなわち上下方向ＶＤに延在状に形成される。また把持部５の下面側ＢＳには、下面側開口部５５が形成されている。天面部５０には、複数の貫通孔５６が形成される。貫通孔５６は、後述のリブ５７及び補助リブ５８と干渉しないよう形成される。
【００４４】
［リブ５７の構成］
図５に示されるように、把持部５は中空状に形成されるとともに、当該中空部において、第１側壁部５１と第２側壁部５２および天面部５０を一体状に連結するように横架されたリブ５７が、長手方向ＬＤ方向に等間隔で複数形成されている。本実施形態では、リブ５７は合計５つ、略１０ｍｍの等ピッチで配列されている。これらのリブ５７は、ヘッド部３、連結部４、及び把持部５とともに、樹脂による一体成形体として構成されている。また、リブ５７は、長手方向ＬＤおよび上下方向ＶＤの双方に対して傾斜状に配置される構成が採用されており、これにより、複数方向への強度剛性が高くなるように設定されている。
【００４５】
［補助リブ５８の構成］
把持部５の中空部には、図５に示されるように、リブ５７に加え補助リブ５８が形成されている。補助リブ５８は、長手方向ＬＤ及び短手方向ＷＤに対して交差状に、かつ上下方向ＶＤに対して交差状に延在形成されている。また、補助リブ５８は、長手方向ＬＤにつき、中央線を挟んで対称状かつ対状に形成されるとともに、長手方向ＬＤへと波状に延在するように構成される。この結果、補助リブ５８は、連続のＶ字状ないしＸ字形状を呈することとなる。
【００４６】
このように、補助リブ５８を交差状に形成し、対称状に形成し、さらに波状に形成することにより、把持部５の全体に渡って補強構造を稠密状に配置することが可能となり、把持部５の剛性強度を増大させることが可能となる。また、かかる補助リブ５８の配置特性により、把持部５およびカミソリ１の外観デザインにアクセントを付与し、趣向性を増大することが可能となっている。
【００４７】
［連結部リブ７３の構成］
連結部４の把持部５に隣接する把持部隣接領域７には、開口状の凹部７１が形成される。凹部７１には、連結部リブ７３が設けられる。連結部リブ７３は、補助リブ５８と同様に、長手方向ＬＤ、短手方向ＷＤ、及び上下方向ＶＤに対して交差状に延在形成されている。
【００４８】
［幅寸法に関する特徴］
図４に示されるように、把持部５の、短手方向ＷＤへの幅寸法（以下、「ＨＬＷ」とも称呼）は、その最小部分での幅寸法ＨＬＷ１（連結部隣接領域）から最大部分での幅寸法ＨＬＷ２に至るまで、長手方向のいずれの領域においても、ヘッド部３の短手方向ＷＤへの幅寸法ＨＷ以上に設定されている。さらに把持部５の幅寸法ＨＬＷは、長手方向ＬＤにつき、ヘッド部３から離間する側（すなわち長手方向後方側ＬＤＲ）へと向かうにつれて、暫時に（順次ないし逐次に）寸法が増大する構成、すなわち漸増する構成が採用されている。
【００４９】
本実施の形態では、把持部５の最小幅寸法ＨＬＷ１が略２５ｍｍ（ミリメートル）、最大幅寸法ＨＬＷ２が略２８ｍｍ（ミリメートル）、ヘッド部３の幅寸法ＨＷが略２３ｍｍ（ミリメートル）に設定されている。
【００５０】
［連結部４の連結態様］
図４に示されるように、連結部４は、短手方向ＷＤにおけるヘッド部３の左右両端部３Ｌ、３Ｒと、短手方向ＷＤにおける把持部５の左右両端部５Ｌ、５Ｒを、それぞれ直線状に連結する構成とされている。換言すれば、ヘッド部３の短手方向ＷＤの両側の端部３Ｌ、３Ｒと把持部５の短手方向ＷＤの両側の端部５Ｌ、５Ｒを最短距離で連結する構成である。
【００５１】
このように構成することで、把持部５のサイズをヘッド部３のサイズと同等以上に設定し、使用者による把持部５の把持態様を多様化することができる。そして把持態様を多様化することで、とりわけ陰部や腋部等といったデリケートゾーンにおける体毛カット処理においても、豊富な把持態様の中から使用者が適宜に選択することを許容し、これによってカミソリ１の精妙な操作コントロールを行うことができるようになる。更に、上記した幅寸法の漸増構成により、使用者の手指が接触する把持部５の長手方向前方側ＬＤＦの幅寸法は相対的に小さく、一方、使用者の掌が接触する把持部５の長手方向後方側ＬＤＲの幅寸法は相対的に大きく設定することとなり、人間工学的見地に立脚し、しっかりと握力を発揮した把持と、狙い通りの精密で正確な作業の両立が図られることになる。
【００５２】
さらに、連結部４がヘッド部３の両端部３Ｌ、３Ｒと把持部５の両端部５Ｌ、５Ｒをそれぞれ直線状に連結することで、ヘッド部３と把持部５の組み付け剛性を高く確保することが可能となり、カミソリ１の耐久性向上に資する。
【００５３】
［上下方向に関する特徴］
本実施形態では、図３に示されるように、上下方向ＶＤにおいて、第１連結要素４１および第２連結要素４２の高さ、すなわち連結部高さ寸法ＣＨは、ヘッド部３の高さ（すなわちヘッド部高さ寸法ＨＨ）および把持部５の高さ（すなわち把持部高さ寸法ＨＬＨ）よりも小さく設定されている。具体的には、ヘッド部高さ寸法ＨＨを略１１ｍｍ、連結部高さ寸法ＣＨを略４ｍｍ、把持部高さ寸法ＨＬＨを略１３ｍｍにそれぞれ設定している。
【００５４】
なお、本実施形態では、主としてデザイン的な趣向性の観点で、ヘッド部３、連結部４、及び把持部５には、それぞれラウンド処理、あるいは徐々に寸法が漸減ないし漸増する処理が施されているため、各高さ寸法は、各部の最大寸法または最小寸法で説明を行っている。
【００５５】
このように構成することで、特にデリケートゾーンでの体毛処理のように、ヘッド部３をアクセスさせにくい領域にアプローチさせる場合に、上下方向ＶＤにコンパクト化された連結部４が、その障害とならないようにすることができる。また、例えば連結部４の曲げ剛性を適宜に調節し、ヘッド部３の把持部５に対する相対的な回動動作の許容ないし規制を行う態様が構築できる。また上下方向ＶＤに関してヘッド部３、連結部４、及び把持部５の寸法を適宜に変化させることでカミソリ１の外観形状にアクセントを加え、デザイン的な趣向性を向上することが可能とされる。
【００５６】
［カミソリ１の使用］
使用者は、カミソリ１を使用する際、デリケートゾーンに対して、体毛除去の状況を都度確認しながら、カミソリ１を複数回繰り返しストロークさせる。このとき、カミソリ１が櫛歯３２ａ及び３２ｂと、溝部３４ｃ及び３４ｄとを設け、効果的に櫛当て処理を行うことができる構成としているため、繰り返しストロークすることで体毛を整列させつつ除去することができる。また、カミソリ１では刃先露出部分３５ａが幅方向の全体にわたって設けられておらず、幅方向の２／５以下にだけ設けられているため、様子を見ながら体毛の量を徐々に減少させる方法に特に適した構成となっている。
【００５７】
［カミソリ１の特徴］
本実施形態のカミソリ１は、例えば以下のような特徴を有する。
【００５８】
カミソリ１は、櫛部３５の幅方向の長さに対して、刃先３８が露出する刃先露出部分３５ａの割合を２／５以下としているため、カット対象の体毛を、使用者が望む量だけ除去しやすい構成となる。
【００５９】
また、カミソリ１は、複数の櫛歯３２ａ及び３２ｂが２ｍｍ以下の間隔で配置されることで、刃先露出部分３５ａの幅が比較的小さくなり、体毛を一度にカットする幅が比較的狭くなる。このように櫛歯３２ａ及び３２ｂの間隔を２ｍｍ以下にすることで、体毛をカットした部分とカットしていない部分との境界を効果的にぼかすことができる構成となり、体毛を除去した部分と除去していない部分との境界をハッキリさせず自然な状態にしたいという使用者のニーズに合った構成となっている。
【００６０】
さらに、櫛歯３２ａ及び３２ｂの間隔を２ｍｍ以下にすることで、櫛歯間に皮膚が入り込みづらくなる。これにより、使用者の皮膚が刃先に触れることを抑制でき、使用者に不快感を与えることを抑制したり、使用者の皮膚が傷つくことを防止したりすることができる。
【００６１】
また、複数の櫛歯３２ａ及び３２ｂを有する構成としたうえで、カバー部分３５ｂではその両端だけでなく、両端の間にも櫛歯３２ａが設けられた構成としているため、カバー部分３５ｂの両端にだけ櫛歯３２ｂを設けた構成と比較して、カット対象の体毛をカットしつつ、効果的に櫛当て処理を行うことができる。そのため、次のストロークでカット対象の体毛を除去しやすくなる。また、櫛歯３２ａ及び３２ｂの間隔が２ｍｍ以下の幅となっているため、細かい間隔で体毛を梳き、毛並みを効果的に整えることができる。
【００６２】
また、第１溝部３４ｃ及び第２溝部３４ｄを含む複数の溝部を有する構成とすることで、カット対象の体毛により効果的に櫛当て処理を行いながら、体毛を除去することができる。カミソリ１は、体毛の生える向きが一定でないデリケートゾーンに対して主に使用するものであるところ、このように櫛当て処理の性能に優れた構成とすることで、カット対象のデリケートゾーンの体毛をカットしやすくなっている。
【００６３】
また、カミソリ１では、第１櫛部構成体３２に櫛歯が形成され、第２櫛部構成体３４には、刃先露出部分３５ａに対応する位置に凹部３４ａが形成され、カバー部分３５ｂに対応する位置に刃先カバー３４ｂが形成される。このような構成により、第１櫛部構成体３２及び第２櫛部構成体３４の一方の形状を変化させることで、櫛歯の配置及びピッチ、ならびに櫛歯露出部分とカバー部分との割合を変化可能な構成にすることなどが可能となる。
【００６４】
また、カミソリ１は、凹部３４ａから連続した位置に第１溝部３４ｃが形成され、刃先カバー３４ｂにおける櫛歯３２ｂの隙間の位置の延長線上に、櫛歯３２ｂの隙間から少し離れた位置に第２溝部３４ｄが形成されている。この構成により、櫛部３５の櫛歯３２ａ及び３２ｂが配置された領域に広い範囲で溝部を形成する構成となり、さらに効果的に櫛当て処理を行うことが可能となる。これにより、より快適に体毛をカットしやすくなる。
【００６５】
また、カミソリ１は、図１１に示されるような突起３２ｘを有する構成としているため、刃先３８が直接使用者の肌に触れないため、肌に優しい構成になっている。特に、カミソリ１は主にデリケートゾーンに対して使用されるため、このように肌に優しい構成が特に有用である。
【００６６】
また、カミソリ１は、櫛部３５の幅方向において最外部に位置する櫛歯３２ａの幅方向の中央部の間の長さに対する、複数の刃先露出部分３５ａにそれぞれ隣接する櫛歯３２ｂの幅方向の中央部の間の長さの合計の割合を１／３とすることが特に好ましい。カミソリ１は、このような構成により、使用者が望む量の体毛をカットするのに特に適した構成となっている。
【産業上の利用可能性】
【００６７】
本発明のデリケートゾーン用すきカミソリは、デリケートゾーンの毛量を減少させるためのすきカミソリとして特に好適に適用される。
【符号の説明】
【００６８】
１…カミソリ
２…カミソリホルダ
３…ヘッド部
３１…第１構成体
３１ａ…貫通孔
３２…第１櫛部構成体
３２ａ、３２ｂ…櫛歯
３２ｃ…刃先露出櫛歯間
３２ｄ…刃先カバー櫛歯間
３２ｘ…突起
３３…第２構成体
３３ａ…連結突部
３４…第２櫛部構成体
３４ａ…凹部
３４ｂ…刃先カバー
３４ｃ…第１溝部
３４ｄ…第２溝部
３５…櫛部
３５ａ…刃先露出部分
３５ｂ…カバー部分
３７…刃体
３８…刃先
３９…取付孔
４…連結部
４１…第１連結要素
４２…第２連結要素
４３…貫通開口部
５…把持部
５０…天面部
５１…第１側壁部
５２…第２側壁部
５３…前面部
５４…後面部
５５…下面側開口部
５６…貫通孔
５７…リブ
５８…補助リブ
７…把持部隣接領域
７１…凹部
７３…連結部リブ
【要約】
【課題】使用者が望む量の体毛をカットしやすいカミソリを提供する。
【解決手段】体毛を減少させるためのデリケートゾーン用すきカミソリであって、櫛部が複数の櫛歯を有するとともに、刃体の刃先が露出した刃先露出部分と、刃体の刃先が露出しないよう覆われたカバー部分とを有し、カバー部分の幅方向における両端及び該両端の間に櫛歯が設けられ、所定の並びで配置された前記刃先露出部分と前記カバー部分との組が繰り返されるよう配置される。櫛部の幅方向において最外部に位置する櫛歯の幅方向の中央部の間の長さに対する、複数の刃先露出部分にそれぞれ隣接する櫛歯の幅方向の中央部の間の長さの合計の割合を１／１０以上４／１０以下とする。複数の櫛歯間の隙間の延長線上にそれぞれ形成された複数の溝部を有する構成とする。
【選択図】図１【図１】
0006976674.tif 000002
【図２】
0006976674.tif 000003
【図３】
0006976674.tif 000004
【図４】
0006976674.tif 000005
【図５】
0006976674.tif 000006
【図６】
0006976674.tif 000007
【図７】
0006976674.tif 000008
【図８】
0006976674.tif 000009
【図９】
0006976674.tif 000010
【図１０】
0006976674.tif 000011
【図１１】
0006976674.tif 000012